(57)【要約】【課題】画像出力部に応じた変換処理後の画像データを含む画像出力用の情報群と当該情報群の構成と配置を示す提供情報を出力するクラウドサービスを実現する。【解決手段】サービスシステム１０は、要求情報取得部１１０と付帯情報処理部１２０と画像変換処理部１３０と画像情報出力部１４０を備えている。付帯情報処理部１２０は、要求情報取得部１１０が取得した要求情報に含まれる付帯情報を処理する。画像変換処理部１３０は、要求情報に含まれる画像データに対して画像の変換処理を実行する。画像情報出力部１４０は、画像出力に利用される情報として、画像変換処理部１３０による変換処理後の画像データを含む画像出力用の情報群と、その情報群がどのような複数の情報で構成されて各情報がどこに配置されるのかを示す提供情報を出力する。【選択図】図１
2020071559.tif 000002
【特許請求の範囲】
【請求項１】
画像出力に利用される情報を出力するクラウド上のサービスシステムであって、
変換処理前の画像データから、画像を出力する画像出力部に応じた変換処理により、変換処理後の画像データを得る変換手段と、
前記変換処理後の画像データを含む画像出力用の情報群と、当該情報群がどのような複数の情報で構成されて各情報がどこに配置されるのかを示す提供情報を出力する出力手段と、
を有する、
ことを特徴とする画像出力のサービスシステム。
【請求項２】
請求項１に記載のサービスシステムにおいて、
前記出力手段は、１つ以上のフォルダに展開される前記画像出力用の情報群を構成する各情報がどのフォルダに配置されるのかを示す前記提供情報を出力し、
前記出力手段から出力された前記画像出力用の情報群を構成する複数の情報が、前記画像出力部による画像出力を支援する支援装置により、前記提供情報が示す配置に従って１つ以上のフォルダに展開して再配置される、
ことを特徴とする画像出力のサービスシステム。
【請求項３】
請求項１または２に記載のサービスシステムにおいて、
前記変換手段は、変換処理前の画像データから、互いに特性が異なる複数の画像出力部の各々に応じた変換処理により、当該複数の画像出力部に対応した複数の変換処理後の画像データを生成し、
前記出力手段は、前記各画像出力部による画像出力に利用される情報として、当該画像出力部に対応した前記変換処理後の画像データを含む前記画像出力用の情報群と当該情報群に関する前記提供情報を出力する、
ことを特徴とする画像出力のサービスシステム。
【請求項４】
請求項３に記載のサービスシステムにおいて、
画像出力の目標状態を定めた情報に基づいて、前記複数の画像出力部で互いに同じ目標状態に対応した前記画像出力用の情報群を生成する、
ことを特徴とする画像出力のサービスシステム。
【請求項５】
画像出力部による画像出力を支援する支援装置であって、
クラウド上のサービスシステムから、前記画像出力部に応じた変換処理後の画像データを含む画像出力用の情報群と、当該情報群がどのような複数の情報で構成されて各情報がどこに配置されるのかを示す提供情報を取得する取得手段と、
前記サービスシステムから得られた前記画像出力用の情報群を前記提供情報が示す配置に従って再配置する配置手段と、
再配置された前記画像出力用の情報群を利用して前記画像出力部による画像出力を支援する支援手段と、
を有する、
ことを特徴とする画像出力の支援装置。
【請求項６】
請求項５に記載の支援装置において、
前記取得手段は、クラウド上で１つ以上のフォルダに展開されていた前記画像出力用の情報群を構成する各情報がどのフォルダに配置されていたのかを示す前記提供情報を取得し、
前記配置手段は、前記サービスシステムから得られた前記画像出力用の情報群を構成する複数の情報を前記提供情報が示す配置に従って１つ以上のフォルダに展開して再配置する、
ことを特徴とする画像出力の支援装置。
【請求項７】
画像出力に利用される情報を出力するクラウド上のコンピュータを、
変換処理前の画像データから、画像を出力する画像出力部に応じた変換処理により、変換処理後の画像データを得る手段、
前記変換処理後の画像データを含む画像出力用の情報群と、当該情報群がどのような複数の情報で構成されて各情報がどこに配置されるのかを示す提供情報を出力する手段、
として機能させるプログラム。
【請求項８】
画像出力部による画像出力を支援するコンピュータを、
クラウド上のサービスシステムから、前記画像出力部に応じた変換処理後の画像データを含む画像出力用の情報群と、当該情報群がどのような複数の情報で構成されて各情報がどこに配置されるのかを示す提供情報を取得する手段、
前記サービスシステムから得られた前記画像出力用の情報群を前記提供情報が示す配置に従って再配置する手段、
再配置された前記画像出力用の情報群を利用して前記画像出力部による画像出力を支援する手段、
として機能させるプログラム。
【発明の詳細な説明】
【技術分野】
【０００１】
本発明は、画像出力のサービスシステム、画像出力の支援装置およびプログラムに関する。
【背景技術】
【０００２】
例えばページ記述言語などで記述された画像データに対して、プリンタなどの装置が備える画像出力部に応じた画像の変換処理を実行することにより、変換処理後の画像データとして、例えばラスタ形式の画像データを得る技術が知られている。特許文献１には、印刷データをラスタデータに描画展開処理するＲＩＰ（Raster Image Process）処理部が複数設けられ、ＲＩＰ処理を分散して並行して行う画像形成システムが開示されている。
【先行技術文献】
【特許文献】
【０００３】
【特許文献１】特開２０１５−１６８１３２号公報
【発明の概要】
【発明が解決しようとする課題】
【０００４】
画像データに対して変換処理を実行する場合、一般に、画像データのデータ量が多いほど変換処理の負荷も大きくなる。そのため、例えば、画像出力部による画像出力を支援する支援装置がその画像出力部に応じた画像の変換処理を実行する場合に、画像データのデータ量が大量であると、変換処理の負荷が膨大なものとなり、変換処理に長い時間を要することが考えられる。
【０００５】
一方、近年では、クラウド・コンピューティング（以下では単に「クラウド」とする）を利用した各種のサービスが実現されている。例えば、クラウドサービスにより変換処理後の画像データを支援装置に提供すれば、支援装置に変換処理の負荷が集中することを回避できる。しかし、画像出力部による画像出力には、その画像出力部に応じた変換処理後の画像データの他にも必要な情報がある。画像出力に利用される情報を取り纏めて提供するクラウドサービスの実現が期待される。
【０００６】
本発明の目的は、画像出力部に応じた変換処理後の画像データを含む画像出力用の情報群と当該情報群の構成と配置を示す提供情報を出力するクラウドサービスを実現することにある。
【課題を解決するための手段】
【０００７】
請求項１に係る発明は、画像出力に利用される情報を出力するクラウド上のサービスシステムであって、変換処理前の画像データから、画像を出力する画像出力部に応じた変換処理により、変換処理後の画像データを得る変換手段と、前記変換処理後の画像データを含む画像出力用の情報群と、当該情報群がどのような複数の情報で構成されて各情報がどこに配置されるのかを示す提供情報を出力する出力手段と、を有することを特徴とする画像出力のサービスシステムである。
【０００８】
請求項２に係る発明は、請求項１に記載のサービスシステムにおいて、前記出力手段は、１つ以上のフォルダに展開される前記画像出力用の情報群を構成する各情報がどのフォルダに配置されるのかを示す前記提供情報を出力し、前記出力手段から出力された前記画像出力用の情報群を構成する複数の情報が、前記画像出力部による画像出力を支援する支援装置により、前記提供情報が示す配置に従って１つ以上のフォルダに展開して再配置されることを特徴とする画像出力のサービスシステムである。
【０００９】
請求項３に係る発明は、請求項１または２に記載のサービスシステムにおいて、前記変換手段は、変換処理前の画像データから、互いに特性が異なる複数の画像出力部の各々に応じた変換処理により、当該複数の画像出力部に対応した複数の変換処理後の画像データを生成し、前記出力手段は、前記各画像出力部による画像出力に利用される情報として、当該画像出力部に対応した前記変換処理後の画像データを含む前記画像出力用の情報群と当該情報群に関する前記提供情報を出力することを特徴とする画像出力のサービスシステムである。
【００１０】
請求項４に係る発明は、請求項３に記載のサービスシステムにおいて、画像出力の目標状態を定めた情報に基づいて、前記複数の画像出力部で互いに同じ目標状態に対応した前記画像出力用の情報群を生成することを特徴とする画像出力のサービスシステムである。
【００１１】
請求項５に係る発明は、画像出力部による画像出力を支援する支援装置であって、クラウド上のサービスシステムから、前記画像出力部に応じた変換処理後の画像データを含む画像出力用の情報群と、当該情報群がどのような複数の情報で構成されて各情報がどこに配置されるのかを示す提供情報を取得する取得手段と、前記サービスシステムから得られた前記画像出力用の情報群を前記提供情報が示す配置に従って再配置する配置手段と、再配置された前記画像出力用の情報群を利用して前記画像出力部による画像出力を支援する支援手段と、を有することを特徴とする画像出力の支援装置である。
【００１２】
請求項６に係る発明は、請求項５に記載の支援装置において、前記取得手段は、クラウド上で１つ以上のフォルダに展開されていた前記画像出力用の情報群を構成する各情報がどのフォルダに配置されていたのかを示す前記提供情報を取得し、前記配置手段は、前記サービスシステムから得られた前記画像出力用の情報群を構成する複数の情報を前記提供情報が示す配置に従って１つ以上のフォルダに展開して再配置することを特徴とする画像出力の支援装置である。
【００１３】
請求項７に係る発明は、画像出力に利用される情報を出力するクラウド上のコンピュータを、変換処理前の画像データから、画像を出力する画像出力部に応じた変換処理により、変換処理後の画像データを得る手段、前記変換処理後の画像データを含む画像出力用の情報群と、当該情報群がどのような複数の情報で構成されて各情報がどこに配置されるのかを示す提供情報を出力する手段として機能させるプログラムである。
【００１４】
請求項８に係る発明は、画像出力部による画像出力を支援するコンピュータを、クラウド上のサービスシステムから、前記画像出力部に応じた変換処理後の画像データを含む画像出力用の情報群と、当該情報群がどのような複数の情報で構成されて各情報がどこに配置されるのかを示す提供情報を取得する手段、前記サービスシステムから得られた前記画像出力用の情報群を前記提供情報が示す配置に従って再配置する手段、再配置された前記画像出力用の情報群を利用して前記画像出力部による画像出力を支援する手段として機能させるプログラムである。
【発明の効果】
【００１５】
請求項１に係る発明により、画像出力部に応じた変換処理後の画像データを含む画像出力用の情報群と当該情報群の構成と配置を示す提供情報を出力するクラウドサービスが実現される。
【００１６】
請求項２に係る発明により、画像出力用の情報群を提供情報が示す配置に従って展開して再配置することができる。
【００１７】
請求項３に係る発明により、互いに特性が異なる複数の画像出力部の各々に対応した画像出力用の情報群と提供情報を出力することができる。
【００１８】
請求項４に係る発明により、互いに特性が異なる複数の画像出力部で互いに同じ目標状態に対応した画像出力を実現することができる。
【００１９】
請求項５に係る発明により、クラウド上のサービスシステムから得られた画像出力用の情報群を当該情報群の構成と配置を示す提供情報に従って再配置して画像出力を支援することができる。
【００２０】
請求項６に係る発明により、クラウド上のサービスシステムから得られた画像出力用の情報群をクラウド上と同じ配置で展開することができる。
【００２１】
請求項７に係る発明により、画像出力部に応じた変換処理後の画像データを含む画像出力用の情報群と当該情報群の構成と配置を示す提供情報を出力するクラウドサービスが実現される。
【００２２】
請求項８に係る発明により、クラウド上のサービスシステムから得られた画像出力用の情報群を当該情報群の構成と配置を示す提供情報に従って再配置して画像出力を支援することができる。
【図面の簡単な説明】
【００２３】
【図１】画像出力システムの具体例を示す図である。
【図２】出力支援装置の具体例を示す図である。
【図３】画像出力に利用される情報を提供するクラウドサービスの具体例を説明するための図である。
【図４】出力支援装置が実行する処理の具体例を示す図である。
【図５】複数の画像出力部に対応した画像出力用情報の具体例を示す図である。
【発明を実施するための形態】
【００２４】
図１は、本発明の具体的な実施態様の一例を示す図である。図１には、サービスシステム１０と出力支援装置２０と画像出力装置３０とユーザ装置４０を備えた画像出力システムの具体例が図示されている。
【００２５】
図１に例示する具体例において、サービスシステム１０は、公衆ネットワーク（公衆通信回線）７０に通信接続されており、ローカルエリア内の画像出力装置３０による画像出力に利用される情報を提供するクラウドサービスを実現する。公衆ネットワーク７０は、例えば無線通信と有線通信の少なくとも一方を利用した通信回線であり、その具体例にはインターネットなどが含まれる。
【００２６】
図１に例示するサービスシステム１０は、要求情報取得部１１０と付帯情報処理部１２０と画像変換処理部１３０と画像情報出力部１４０を備えている。
【００２７】
要求情報取得部１１０は、画像の出力を要求する要求情報を取得する。要求情報取得部１１０は、例えば、ローカルエリア内の出力支援装置２０またはユーザ装置４０から要求情報を取得する。要求情報は、例えば、画像出力の対象となる画像データと、その画像データの付帯情報などで構成される。要求情報の具体例には、例えば印刷ジョブなどが含まれる。
【００２８】
付帯情報処理部１２０は、要求情報取得部１１０が取得した要求情報に含まれる付帯情報を処理する。付帯情報は、画像出力の対象となる画像データの画像出力に利用される情報であり、例えば、ジョブプロパティ情報、プロファイル情報、面付け構成情報、リソースファイル情報などで構成される。
【００２９】
画像変換処理部１３０は、要求情報取得部１１０が取得した要求情報に含まれる画像データに対して画像の変換処理を実行する。画像変換処理部１３０は、例えばページ記述言語などで記述された変換処理前の画像データに対して、例えばローカルエリア内の画像出力装置３０が備える画像出力部に応じた画像の変換処理を実行することにより、変換処理後の画像データとして、例えばラスタ形式の画像データ（ラスタデータ）を得る。また、画像変換処理部１３０は、画像出力部に応じた変換処理後の画像データとして、例えばラスタ形式への変換処理の途中段階で得られる中間ファイルを得るようにしてもよい。
【００３０】
画像情報出力部１４０は、画像出力に利用される情報を出力する。画像情報出力部１４０は、画像出力に利用される情報（画像出力用の情報）として、例えば、画像変換処理部１３０による変換処理後の画像データを含む画像出力用の情報群と、その情報群がどのような複数の情報で構成されて各情報がどこに配置されるのかを示す提供情報を出力する。
【００３１】
図１に例示するサービスシステム１０は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００３２】
そして、例えば、図１に例示するサービスシステム１０が備える構成要素のうちの少なくとも一部の機能に対応したプログラム（ソフトウェア）がコンピュータに読み込まれ、そのコンピュータが備えるハードウェア資源と読み込まれたソフトウェアとの協働によりサービスシステム１０の少なくとも一部の機能がコンピュータにより実現される。そのプログラムは、例えば、インターネット等の通信回線を介してコンピュータ（サービスシステム１０）に提供されてもよいし、光ディスクや半導体メモリやカードメモリ等の記憶媒体に記憶されてその記憶媒体からコンピュータ（サービスシステム１０）に提供されてもよい。また、コンピュータ（サービスシステム１０）が備える記憶デバイスに予めプログラムが記憶されていてもよい。
【００３３】
図１に例示する具体例において、出力支援装置２０と画像出力装置３０とユーザ装置４０は、ローカルエリア内にあり、ローカルエリアネットワーク５０を介して互いに通信接続されてデータ（情報）を遣り取りする。また、ローカルエリアネットワーク５０は、ファイアウォール６０を介して公衆ネットワーク７０に接続されている。
【００３４】
出力支援装置２０は、画像出力部による画像出力を支援する。出力支援装置２０の具体例には、デジタルフロントエンド（ＤＦＥ）などが含まれる。出力支援装置２０が画像出力の支援に利用する情報は、例えば、サービスシステム１０から得られてもよいし、出力支援装置２０が生成してもよい。
【００３５】
画像出力装置３０は、画像を出力する画像出力部を備えている。図１に例示する具体例では、複数の画像出力装置３０（３０Ａ，３０Ｂ，・・・）がローカルエリア内にあり、例えば各画像出力装置３０が画像出力部を備えている。画像出力部の具体例には、例えば用紙などの媒体上に画像を印刷する印刷デバイスが含まれる。
【００３６】
なお、図１には出力支援装置２０と画像出力装置３０を別々の装置とする具体例を示しているが、出力支援装置２０と画像出力装置３０は１台の装置として纏められてもよい。例えば、出力支援装置２０が備える画像出力の支援に係る機能を画像出力装置３０が備えていてもよい。
【００３７】
ユーザ装置４０は、画像の出力を要求するユーザが利用する端末装置である。ユーザ装置４０の具体例には、例えばパーソナルコンピュータなどの情報処理装置とスマートフォンやタブレット端末などの携帯端末装置が含まれる。
【００３８】
図２は、出力支援装置２０の具体例を示す図である。図２には、画像出力システム（図１）を構成する出力支援装置２０の具体例が図示されている。図２に例示する出力支援装置２０は、要求情報管理部２１０と画像情報取得部２２０と配置処理部２３０と画像出力支援部２４０と付帯情報処理部２５０と画像変換処理部２６０とデータ記憶部２７０を備えている。
【００３９】
要求情報管理部２１０は、画像の出力を要求する要求情報を管理する。要求情報管理部２１０は、例えば、ローカルエリア内のユーザ装置４０から取得される要求情報を管理する。要求情報は、例えば、画像出力の対象となる画像データと、その画像データの付帯情報などで構成される。要求情報の具体例には、例えば印刷ジョブなどが含まれる。
【００４０】
画像情報取得部２２０は、画像出力に利用される情報を取得する。例えば、要求情報管理部２１０によって管理される要求情報に応じた処理をサービスシステム１０に実行させた場合に、画像情報取得部２２０は、画像出力に利用される情報として、サービスシステム１０から出力される画像出力用の情報群とその情報群に関する提供情報を取得する。
【００４１】
配置処理部２３０は、画像出力に利用される情報を再配置する。例えば、要求情報管理部２１０によって管理される要求情報に応じた処理をサービスシステム１０に実行させた場合に、配置処理部２３０は、サービスシステム１０から得られた画像出力用の情報群を提供情報が示す配置に従って再配置する。
【００４２】
画像出力支援部２４０は、画像出力用の情報を利用して画像出力部による画像出力を支援する。画像出力支援部２４０は、例えば、配置処理部２３０によって再配置された画像出力用の情報群を利用して、画像出力装置３０が備える画像出力部による画像出力を支援する。
【００４３】
付帯情報処理部２５０は、要求情報に含まれる付帯情報を処理する。例えば、要求情報管理部２１０によって管理される要求情報に応じた処理を、サービスシステム１０によるサービスを利用せずに出力支援装置２０が実行する場合に、付帯情報処理部２５０が要求情報に含まれる付帯情報を処理する。付帯情報は、画像出力の対象となる画像データの画像出力に利用される情報であり、例えば、ジョブプロパティ情報、プロファイル情報、面付け構成情報、リソースファイル情報などで構成される。
【００４４】
画像変換処理部２６０は、要求情報に含まれる画像データに対して画像の変換処理を実行する。例えば、要求情報管理部２１０によって管理される要求情報に応じた処理を、サービスシステム１０によるサービスを利用せずに出力支援装置２０が実行する場合に、画像変換処理部２６０が要求情報に含まれる画像データに対して画像の変換処理を実行する。
【００４５】
画像変換処理部２６０は、例えばページ記述言語などで記述された変換処理前の画像データに対して、例えば画像出力装置３０が備える画像出力部に応じた画像の変換処理を実行することにより、変換処理後の画像データとして、例えばラスタ形式の画像データ（ラスタデータ）を得る。また、画像変換処理部２６０は、画像出力部に応じた変換処理後の画像データとして、例えばラスタ形式への変換処理の途中段階で得られる中間ファイルを得るようにしてもよい。
【００４６】
データ記憶部２７０には、出力支援装置２０で利用される様々な情報（データ）が記憶される。例えば、配置処理部２３０によって再配置される画像出力用の情報群がデータ記憶部２７０内の１つ以上のフォルダに記憶されてもよい。
【００４７】
図２に例示する出力支援装置２０は、例えば、１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００４８】
そして、例えば、図２に例示する出力支援装置２０が備える構成要素のうちの少なくとも一部の機能に対応したプログラム（ソフトウェア）がコンピュータに読み込まれ、そのコンピュータが備えるハードウェア資源と読み込まれたソフトウェアとの協働により出力支援装置２０の少なくとも一部の機能がコンピュータにより実現される。そのプログラムは、例えば、インターネット等の通信回線を介してコンピュータ（出力支援装置２０）に提供されてもよいし、光ディスクや半導体メモリやカードメモリ等の記憶媒体に記憶されてその記憶媒体からコンピュータ（出力支援装置２０）に提供されてもよい。また、コンピュータ（出力支援装置２０）が備える記憶デバイスに予めプログラムが記憶されていてもよい。
【００４９】
図１に例示する画像出力システム（図２に例示する出力支援装置２０を備える）の全体構成は以上のとおりである。次に、図１の画像出力システムにより実現される処理の具体例について詳述する。なお、図１，図２に示した構成（部分）については、以下の説明において図１，図２の符号を利用する。
【００５０】
図３は、画像出力に利用される情報を提供するクラウドサービスの具体例を説明するための図である。図３には、図１の画像出力システム（図２の出力支援装置２０を含む）により実現されるクラウドサービスの具体例が図示されている。
【００５１】
サービスシステム１０によるクラウドサービスを利用する場合には、ローカルエリア側からサービスシステム１０に対して、画像の出力を要求する要求情報が送信される。例えば、ユーザ装置４０からサービスシステム１０に対して要求情報が送信されてもよいし、ユーザ装置４０から得られた要求情報を出力支援装置２０がサービスシステム１０に送信してもよい。
【００５２】
ローカルエリア側からサービスシステム１０へ送信された要求情報を要求情報取得部１１０が取得すると、付帯情報処理部１２０が要求情報に含まれる付帯情報を処理し、画像変換処理部１３０が要求情報に含まれる画像データに対して画像の変換処理を実行する。付帯情報を構成する複数の情報と変換処理後の画像データは、例えば、サービスシステム１０が利用するクラウド上の１つ以上のフォルダに展開されて配置される。
【００５３】
図３には、付帯情報の具体例として、ジョブプロパティ情報、面付け構成情報、プロファイル情報、リソースファイル情報が例示されている。ジョブプロパティ情報は、例えばカラー出力または白黒出力の設定、出力用紙のサイズや品質の設定など、画像出力に係る複数の設定項目に関する設定値を含んでいる。
【００５４】
面付け構成情報は、例えば、出力画像の面付けのレイアウトなどの設定に関する情報である。面付け構成情報の具体例には、例えば、Ｎページ分（Ｎは自然数）の原稿を並べたものを１枚の原稿として取り扱うＮアップなどの面付けのレイアウトに関する設定値が含まれる。
【００５５】
プロファイル情報は、例えば、輝度，明度，色温度，色差などの出力画像の色を表現するパラメータ（カラープロファイル）を定めた情報である。また、リソースファイル情報は、画像の出力に必要な各種のリソースファイルで構成される。
【００５６】
そして、図３に示す具体例では、付帯情報を構成する複数の情報と変換処理後の画像データが、クラウド上のフォルダＡ〜Ｄに展開されて配置されている。つまり、図３に示す具体例では、ジョブプロパティ情報と面付け構成情報がフォルダＡに配置され、プロファイル情報がフォルダＢに配置され、リソースファイル情報がフォルダＣに配置され、変換処理後の画像データがフォルダＤに配置されている。
【００５７】
サービスシステム１０は、変換処理後の画像データを含む画像出力用の情報群と、その情報群がどのような複数の情報で構成されて各情報がどこに配置されるのかを示す提供情報を生成する。
【００５８】
サービスシステム１０は、例えば、クラウド上の１つ以上のフォルダに展開されて配置された付帯情報を構成する複数の情報と変換処理後の画像データを収集して情報群を生成する。図３に例示するデータ群１４２は、画像出力用の情報群に関する具体例の一つである。図３には、ジョブプロパティ情報と面付け構成情報とプロファイル情報とリソースファイル情報と変換処理後の画像データで構成されるデータ群１４２が例示されている。
【００５９】
さらに、サービスシステム１０は、画像出力用の情報群に関する提供情報を生成する。画像出力用の情報群に関する提供情報は、その情報群がどのような複数の情報で構成されており、その情報群を構成する各情報がどこに配置されるのかを示す情報である。情報群がどのような複数の情報で構成されているのかを示すにあたっては、例えば、各情報の情報名（データ名やファイル名など）を示してもよいし、各情報の内容（特徴的な用語など）を示してもよい。また、情報群を構成する各情報がどこに配置されるのかを示すにあたっては、例えば、各情報が記憶される記憶場所（フォルダ名など）を示してもよいし、各情報が記憶される記憶場所の所在（パスなど）を示してもよい。
【００６０】
図３に例示する構成配置情報１４４は、画像出力用の情報群に関する提供情報の具体例の一つである。図３に示す構成配置情報１４４は、データ群１４２がどのような複数の情報で構成されて各情報がどのフォルダに配置されているのかを示している。
【００６１】
図３に示す具体例において、構成配置情報１４４は、データ群１４２を構成する複数の情報の情報名の一覧を示している。つまり、図３の構成配置情報１４４は、データ群１４２が、ジョブプロパティ情報と面付け構成情報とプロファイル情報とリソースファイル情報と画像データ（変換処理後）で構成されていることを示している。
【００６２】
また、図３に示す具体例において、構成配置情報１４４はデータ群１４２を構成する各情報が配置されているフォルダ名を示している。つまり、図３の構成配置情報１４４は、ジョブプロパティ情報がクラウド上のフォルダＡに配置され、面付け構成情報がクラウド上のフォルダＡに配置され、プロファイル情報がクラウド上のフォルダＢに配置され、リソースファイル情報がクラウド上のフォルダＣに配置され、画像データ（変換処理後）がクラウド上のフォルダＤに配置されていることを示している。
【００６３】
サービスシステム１０は、生成した画像出力用の情報群とその情報群に関する提供情報を出力する。例えば、サービスシステム１０の画像情報出力部１４０は、出力支援装置２０からの要求に応じて、データ群１４２と構成配置情報１４４を出力する。
【００６４】
出力支援装置２０は、クラウド上のサービスシステム１０から出力された画像出力用の情報群と提供情報を取得する。例えば、出力支援装置２０の画像情報取得部２２０は、サービスシステム１０から出力されるデータ群１４２と構成配置情報１４４をダウンロードして取得する。
【００６５】
そして、出力支援装置２０は、サービスシステム１０から得られた画像出力用の情報群を提供情報が示す配置に従って再配置する。例えば、出力支援装置２０の配置処理部２３０は、サービスシステム１０から得られたデータ群１４２を構成する複数の情報を構成配置情報１４４が示す配置に従って１つ以上のフォルダに展開して再配置する。
【００６６】
配置処理部２３０は、例えば、出力支援装置２０が利用するローカルエリア内（例えばデータ記憶部２７０内）にある１つ以上のフォルダに、データ群１４２を構成する複数の情報を展開して再配置する。
【００６７】
配置処理部２３０は、構成配置情報１４４が示す配置に従って、データ群１４２を構成する複数の情報をローカルエリア内のフォルダａ〜ｄに展開して再配置する。例えば、ジョブプロパティ情報と面付け構成情報はクラウド上のフォルダＡに配置されていたことを構成配置情報１４４が示している。そこで、配置処理部２３０は、クラウド上のフォルダＡに対応したローカルエリア内のフォルダａに、ジョブプロパティ情報と面付け構成情報を再配置する。
【００６８】
また、プロファイル情報はクラウド上のフォルダＢに配置されていたことを構成配置情報１４４が示しているため、配置処理部２３０は、クラウド上のフォルダＢに対応したローカルエリア内のフォルダｂにプロファイル情報を再配置する。また、リソースファイル情報はクラウド上のフォルダＣに配置されていたことを構成配置情報１４４が示しているため、配置処理部２３０は、クラウド上のフォルダＣに対応したローカルエリア内のフォルダｃにリソースファイル情報を再配置する。また、画像データ（変換処理後）はクラウド上のフォルダＤに配置されていたことを構成配置情報１４４が示しているため、配置処理部２３０は、クラウド上のフォルダＤに対応したローカルエリア内のフォルダｄに変換処理後の画像データを再配置する。
【００６９】
こうして、例えば図３に示す具体例では、クラウド上のフォルダＡ〜Ｄから収集されたデータ群１４２を構成する複数の情報が、ローカルエリア内のフォルダａ〜ｄに展開されて再配置される。つまり、図３に示す具体例では、クラウド上に展開されていた画像出力用の情報群が、クラウド上と同じような配置でローカルエリア内に展開される。なお、例えば、予め定められた配置の条件などに従って、画像出力用の情報群がクラウド上とは異なる配置でローカルエリア内に展開されてもよい。
【００７０】
サービスシステム１０から得られた画像出力用の情報群がローカルエリア内に展開されると、出力支援装置２０は、ローカルエリア内に展開された画像出力用の情報群を利用して画像出力部による画像出力を支援する。例えば図３に示す具体例では、出力支援装置２０の画像出力支援部２４０が、ローカルエリア内に展開されたデータ群１４２を構成する複数の情報を利用し、画像出力装置３０が備える画像出力部による画像出力を支援する。こうして、例えば、フォルダａ〜ｃに配置された付帯情報が示す設定等に従って、フォルダｄに配置された画像データの画像が画像出力装置３０から出力される。
【００７１】
出力支援装置２０は、画像出力部による画像出力を支援するにあたり、サービスシステム１０から画像出力用の情報群を得てもよいし、出力支援装置２０自身が画像出力用の情報群を生成してもよい。
【００７２】
図４は、出力支援装置２０が実行する処理の具体例を示す図である。図４には、出力支援装置２０が画像出力用の情報群を生成するローカル処理と、出力支援装置２０がサービスシステム１０から画像出力用の情報群を得るクラウド処理の具体例が図示されている。
【００７３】
出力支援装置２０が画像出力の要求情報を取得すると（Ｓ１）、ローカル処理またはクラウド処理が選択される。例えば、要求情報にローカル処理またはクラウド処理の指定があれば、その指定に従って出力支援装置２０がローカル処理またはクラウド処理が選択されてもよい。また、例えば、要求情報に含まれる画像データのデータ量に応じて、ローカル処理またはクラウド処理が選択されてもよい。例えば、画像データのデータ量が閾値以下の場合にローカル処理が選択され、画像データのデータ量が閾値を超える場合にクラウド処理が選択されてもよい。なお、出力支援装置２０の負荷状況などに応じて、ローカル処理またはクラウド処理が選択されてもよい。
【００７４】
ローカル処理では、出力支援装置２０が付帯情報の処理（Ｓ２Ｌ）と画像変換処理（Ｓ３Ｌ）を実行する。例えば、出力支援装置２０の付帯情報処理部２５０が、要求情報に含まれる付帯情報を処理することにより、ジョブプロパティ情報、プロファイル情報、面付け構成情報、リソースファイル情報などの付帯情報がローカルエリア内のフォルダに展開される。
【００７５】
また、例えば、出力支援装置２０の画像変換処理部２６０が、要求情報に含まれる画像データに対して画像の変換処理を実行することにより、変換処理後の画像データがローカルエリア内のフォルダに展開される。
【００７６】
変化処理後の画像データがローカルエリア内のフォルダに展開されると、出力支援装置２０は、画像変換の完了状態に移行する（Ｓ４）。そして、出力支援装置２０の画像出力支援部２４０が、ローカルエリア内に展開された画像出力用の複数の情報を利用して、画像出力装置３０が備える画像出力部による画像出力を支援する（Ｓ５）。
【００７７】
クラウド処理では、要求情報がサービスシステム１０に送信され、サービスシステム１０が要求情報に応じた付帯情報の処理と画像変換処理を実行し、サービスシステム１０により画像出力用の情報が生成される。
【００７８】
出力支援装置２０の画像情報取得部２２０は、例えば（Ｓ１）で取得した要求情報に対応した画像出力用の情報群とその情報群に関する提供情報をサービスシステム１０からダウンロードして取得する（Ｓ２Ｃ）。また、出力支援装置２０の配置処理部２３０は、サービスシステム１０から得られた画像出力用の情報群をその情報群に関する提供情報が示す配置に従ってローカルエリア内に展開して再配置する（Ｓ３Ｃ）。
【００７９】
そして、再配置により変化処理後の画像データがローカルエリア内のフォルダに展開されると、出力支援装置２０は、画像変換の完了状態に移行する（Ｓ４）。さらに、出力支援装置２０の画像出力支援部２４０が、ローカルエリア内に展開された画像出力用の複数の情報を利用して、画像出力装置３０が備える画像出力部による画像出力を支援する（Ｓ５）。
【００８０】
ローカル処理とクラウド処理を比較すると、ローカル処理では、出力支援装置２０の画像変換処理部２６０が要求情報に含まれる画像データに対して画像の変換処理を実行している。したがって、例えば画像データのデータ量が大容量であると、画像の変換処理（Ｓ３Ｌ）に時間が掛かり、要求情報を取得（Ｓ１）してから画像変換の完了状態に移行（Ｓ４）するまでに長い時間を要してしまう。
【００８１】
これに対し、クラウド処理では、例えば画像データのデータ量が大容量であったとしても、予め（例えば夜間などに）サービスシステム１０に画像データの変換処理を実行させておけばよい。そして、要求情報を取得（Ｓ１）してから、既に変換処理が済んだ画像データを含む画像出力用の情報群をダウンロードして（Ｓ２Ｃ）、画像出力用の情報群をローカルエリア内に再配置する（Ｓ３Ｃ）ことにより、長い時間を要する画像の変換処理（Ｓ３Ｌ）を省略して、画像変換の完了状態への移行（Ｓ４）が実現される。
【００８２】
また、ローカル処理では、例えば、１台の出力支援装置２０が複数の要求情報に対応した複数の画像データに対して次々に画像の変換処理を実行する場合にも、複数の画像データに対する変換処理に長い時間を要してしまう。
【００８３】
これに対し、クラウド処理では、例えば複数の画像データに対して、予め（例えば夜間などに）サービスシステム１０に画像データの変換処理を実行させておけば、出力支援装置２０による画像の変換処理に長い時間を要してしまうことがない。なお、サービスシステム１０は、例えば複数の画像データに対して並列処理による画像の変換処理を実行してもよい。
【００８４】
出力支援装置２０が画像出力を支援する際には、支援の対象となる画像出力部に応じた変換処理により得られる画像データが利用される。例えば、図１に例示する画像出力システムにおいて、出力支援装置２０が画像出力装置３０Ａによる画像出力を支援する場合には、画像出力装置３０Ａが備える画像出力部に応じた変換処理後の画像データが利用される。また、画像出力装置３０Ｂによる画像出力を支援する場合には、画像出力装置３０Ｂが備える画像出力部に応じた変換処理後の画像データが利用される。
【００８５】
図５は、複数の画像出力部に対応した画像出力用情報の具体例を示す図である。図５には、同一の要求情報から得られる複数の画像出力部に対応した画像出力用情報が例示されている。
【００８６】
サービスシステム１０の画像変換処理部１３０は、変換処理前の画像データから、互いに特性が異なる複数の画像出力部の各々に応じた変換処理により、それら複数の画像出力部に対応した複数の変換処理後の画像データを生成する。また、サービスシステム１０の画像情報出力部１４０は、各画像出力部による画像出力に利用される情報として、その画像出力部に対応した変換処理後の画像データを含む画像出力用の情報群と、その情報群に関する提供情報を出力する。
【００８７】
例えば図５に示す具体例において、画像出力用情報Ａは、画像出力装置３０Ａによる画像出力に利用される情報であり、画像出力用情報Ｂは、画像出力装置３０Ｂによる画像出力に利用される情報である。画像出力用情報Ａは、例えば、画像出力装置３０Ａの画像出力部に応じた変換処理により得られる画像データを含むデータ群（図３参照）とそのデータ群に関する構成配置情報（図３参照）で構成される。また、画像出力用情報Ｂは、例えば、画像出力装置３０Ｂの画像出力部に応じた変換処理により得られる画像データを含むデータ群（図３参照）とそのデータ群に関する構成配置情報（図３参照）で構成される。
【００８８】
サービスシステム１０は、画像出力の目標状態を定めた情報に基づいて、複数の画像出力部で互いに同じ目標状態に対応した画像出力用の情報群を生成してもよい。例えば、図５に示す具体例において、ターゲットプロファイルＸは、画像出力の目標状態を定めた情報の具体例の一つである。ターゲットプロファイルＸとして、例えば、国際標準化機構（ＩＳＯ）に準拠するジャパンカラーなどの標準規格に規定される色再現性の目標値などが利用されてもよい。
【００８９】
また、図５に示す具体例において、デバイスプロファイルＡは、画像出力装置３０Ａが備える画像出力部の特性を示す情報であり、デバイスプロファイルＢは、画像出力装置３０Ｂが備える画像出力部の特性を示す情報である。
【００９０】
そして、図５に示す具体例において、サービスシステム１０は、画像出力の目標状態を定めたターゲットプロファイルＸに基づいて、変換処理前の同一の画像データから、デバイスプロファイルＡに特性が示される画像出力装置３０Ａの画像出力部に対応した画像出力用情報Ａと、デバイスプロファイルＢに特性が示される画像出力装置３０Ｂの画像出力部に対応した画像出力用情報Ｂを生成する。
【００９１】
サービスシステム１０は、例えば、ターゲットプロファイルＸとデバイスプロファイルＡに基づいて、ターゲットプロファイルＸに示される色再現性などの目標状態を画像出力装置３０Ａの画像出力部で実現するための画像出力用情報Ａを生成する。また、サービスシステム１０は、例えば、ターゲットプロファイルＸとデバイスプロファイルＢに基づいて、ターゲットプロファイルＸに示される色再現性などの目標状態を画像出力装置３０Ｂの画像出力部で実現するための画像出力用情報Ｂを生成する。
【００９２】
これにより、互いに特性が異なる複数の画像出力部で互いに同じ目標状態に対応した画像出力が実現される。例えば、図５に例示する具体例であれば、画像出力装置３０Ａの画像出力部と画像出力装置３０Ｂの画像出力部の特性が互いに異なる場合でも、画像出力装置３０Ａと画像出力装置３０ＢによりターゲットプロファイルＸが示す目標状態に対応した画像出力が実現される。
【００９３】
また、各画像出力部に関するトラブルなどのインシデントに備え、同一の要求情報から複数の画像出力部に対応した画像出力用情報を生成しておくようにしてもよい。例えば、図５に示す具体例において、サービスシステム１０は、画像出力装置３０Ａによる画像出力を要求する要求情報から、画像出力装置３０Ａに対応した画像出力用情報Ａと共に、画像出力装置３０Ｂに対応した画像出力用情報Ｂを生成しておくようにしてもよい。
【００９４】
これにより、例えば、画像出力装置３０Ａに何らかのトラブルが発生して画像出力装置３０Ａにより画像出力ができない場合または画像出力装置３０Ａによる画像出力が中断してしまった場合でも、既に生成しておいた画像出力用情報Ｂを利用した画像出力装置３０Ｂによる画像出力が実現される。
【００９５】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００９６】
１０  サービスシステム、２０  出力支援装置、３０  画像出力装置、４０  ユーザ装置、１１０  要求情報取得部、１２０  付帯情報処理部、１３０  画像変換処理部、１４０  画像情報出力部、２１０  要求情報管理部、２２０  画像情報取得部、２３０  配置処理部、２４０  画像出力支援部、２５０  付帯情報処理部、２６０  画像変換処理部、２７０  データ記憶部。
【図１】
2020071559.tif 000003
【図２】
2020071559.tif 000004
【図３】
2020071559.tif 000005
【図４】
2020071559.tif 000006
【図５】
2020071559.tif 000007